(57)【要約】【課題】空気供給システムのダクトから建物の室等の環境内に空気を連通するためのベント装置（１０）を提供する。【解決手段】本ベント装置は、空気供給システムから空気を受け取るための貫通通路（１８）を持つ本体（１２）を含み、本体（１２）は、通路を空気供給システムと流体連通した状態に置くための第１開口部（２０）を画成する。フィルタスロット（４６）を画成するフィルタハウジングを更に含み、このフィルタハウジングは、本体の通路と選択的に流体連通状態に置くための複数の第１ベント開口部（５４）が設けられた内壁（５０）を有する。更に、フィルタハウジングは、空気をフィルタスロットから室内に連通するようにフィルタスロット及び建物の室と連通した複数の第２ベント開口部が設けられた外壁を有する。ベント装置は、更に、フィルタハウジングのフィルタスロットに取り外し自在に受け入れられるフィルタ（５８）を含み、このフィルタは、フィルタ材料（６３）を収容するキャビティ（６２）を備えた包囲体（６０）を有する。包囲体（６０）は、内壁及び外壁（６４、６６）を有し、内壁（６４）には複数の第３ベント開口部（６８）が設けられており、外壁（６６）には、フィルタ（５８）を通して空気流を提供するために第３ベント開口部（６８）と整合する複数の第４ベント開口部（７０）が設けられている。【選択図】図１０
2004526121.tif 000002
【特許請求の範囲】
【請求項１】
空気供給システムから環境内に空気を連通するためのベント装置において、
空気を通して空気供給システムから環境内に流すことができる通路を持ち、この通路には開口部が設けられている本体、
状態変更媒体を内部に位置決めできるキャビティを持ち、前記キャビティを通って流れる空気の状態を前記キャビティ内に位置決めされた前記状態変更媒体によって変更できるように前記キャビティを通して空気を流すことができるベント開口部を持つハウジングであって、前記空気供給システムから前記通路を通って流れる空気が前記ハウジング手段の前記キャビティを通って導かれるようにハウジングが前記本体の前記通路の前記開口部内に位置決めされた閉鎖状態と、前記キャビティ内に収容された前記状態変更媒体を取り出すため、又は前記状態変更媒体を前記キャビティ内に配置するため、前記ハウジングの前記キャビティへのアクセスを提供する開放状態との間で前記本体に対して移動するように前記本体に取り付けられたハウジング、及び
前記ハウジング全体が前記本体の前記通路の前記開口部内に位置決めされた閉鎖位置と、前記ハウジングの前記キャビティへのアクセスを提供するために前記ハウジングが前記本体の前記開口部から間隔が隔てられた開放位置との間で前記ハウジングを前記本体に対して移動できるように前記ハウジングと前記本体との間に接合された機構を含み、
前記機構は、前記ハウジングから延びるように前記ハウジングに接合された複数の取り付けシャフトを含み、前記本体は各取り付けシャフトと関連した取り付けブラケットを含み、各取り付けブラケットは、前記ハウジングをぞの閉鎖状態と開放状態との間で移動するときに前記取り付けブラケットが前記取り付けシャフトの長さに沿って摺動するように前記取り付けシャフトのうちの対応する一方を摺動自在に受け入れるための通孔を画成する、ベント装置。
【請求項２】
請求項１に記載のベント装置において、前記ハウジングはスロットを提供する手段を含み、このスロットを通して前記キャビティにアクセスでき、前記キャビティは、前記スロットを通してその内部に挿入された前記状態変更媒体を支持するようになっており、前記キャビティ提供手段は、前記キャビティの両側に設けられた側壁を含み、各側壁は複数のベント開口部を含み、これらのベント開口部により、前記状態変更媒体が前記キャビティ内に位置決めされている場合、前記ベント開口部を介して前記側壁を通して流すことができる空気を前記状態変更媒体に露呈するように、空気を前記キャビティを通して流すことができる、ベント装置。
【請求項３】
請求項１に記載のベント装置において、前記ハウジングは、前記本体に対して前記閉鎖状態と前記開放状態との間で枢動できるように前記本体に取り付けられている、ベント装置。
【請求項４】
請求項３に記載のベント装置において、前記ハウジングは、前記本体と前記ハウジングとの間に接合されたストラップによって前記本体に枢着されている、ベント装置。
【請求項５】
空気供給システムから環境に進入する空気の状態を変更するための状態変更媒体と、前記空気供給システムから前記環境内に空気を連通するためのベント装置との組み合わせにおいて、前記ベント装置は、
空気を通して空気供給システムから環境内に流すことができる通路を持ち、この通路には開口部が設けられている本体、
前記状態変更媒体を内部に位置決めできるキャビティを持ち、前記状態変更媒体が前記キャビティ内に位置決めされ、空気がこれを通って流れる場合に前記キャビティから流出する空気の状態を変更できるように前記キャビティを通して空気を流すことができるベント開口部を持つハウジングであって、前記空気供給システムから前記通路を通って流れる空気が前記ハウジング手段の前記キャビティを通って導かれるようにハウジングが前記本体の前記通路の前記開口部内に位置決めされた閉鎖状態と、前記キャビティ内に収容された前記状態変更媒体を取り出すため、又は前記状態変更媒体を前記キャビティ内に配置するため、前記ハウジングの前記キャビティへのアクセスを提供する開放状態との間で前記本体に対して移動するように前記本体に取り付けられたハウジング、及び
前記ハウジング全体が前記本体の前記通路の前記開口部内に位置決めされた閉鎖位置と、前記ハウジングの前記キャビティへのアクセスを提供するために前記ハウジングが前記本体の前記開口部から間隔が隔てられた開放位置との間で前記ハウジングを前記本体に対して移動できるように前記ハウジングと前記本体との間に接合された機構を含み、
前記ハウジングと前記本体との間に接合された前記ベント装置の前記機構は、前記ハウジングから延びるように前記ハウジングに接合された複数の取り付けシャフトを含み、前記本体は各取り付けシャフトと関連した取り付けブラケットを含み、各取り付けブラケットは、前記ハウジングをぞの閉鎖状態と開放状態との間で移動するときに前記取り付けブラケットが前記取り付けシャフトの長さに沿って摺動するように前記取り付けシャフトのうちの対応する一方を摺動自在に受け入れるための通孔を画成する、組み合わせ。
【請求項６】
請求項５に記載の組み合わせにおいて、前記ベント装置の前記ハウジングはスロットを提供する手段を含み、このスロットを通して前記キャビティにアクセスでき、前記キャビティは、前記スロットを通してその内部に挿入された前記状態変更媒体を支持するようになっており、前記キャビティ提供手段は、前記キャビティの両側に設けられた側壁を含み、各側壁は複数のベント開口部を含み、これらのベント開口部により、前記状態変更媒体が前記キャビティ内に位置決めされている場合、前記ベント開口部を介して前記側壁を通して流すことができる空気を前記状態変更媒体に露呈するように、空気を前記キャビティを通して流すことができる、組み合わせ。
【請求項７】
請求項５に記載の組み合わせにおいて、前記ベント装置の前記ハウジングは、前記ベント装置の前記本体に対して前記閉鎖状態と前記開放状態との間で枢動できるように前記本体に取り付けられている、組み合わせ。
【請求項８】
請求項７に記載の組み合わせにおいて、前記ベント装置の前記ハウジングは、前記本体と前記ハウジングとの間に接合されたストラップによって前記本体に枢着されている、組み合わせ。
【請求項９】
空気供給システムから環境に進入する空気の状態を変更するための状態変更媒体と、前記空気供給システムから前記環境内に空気を連通するためのベント装置との組み合わせにおいて、前記ベント装置は、
空気を通して空気供給システムから環境内に流すことができる通路を持ち、この通路には開口部が設けられている本体、
前記状態変更媒体を内部に位置決めできるキャビティを持ち、前記状態変更媒体が前記キャビティ内に位置決めされ、空気がこれを通って流れる場合に前記キャビティから流出する空気の状態を変更できるように前記キャビティを通して空気を流すことができるベント開口部を持つハウジングであって、前記空気供給システムから前記通路を通って流れる空気が前記ハウジング手段の前記キャビティを通って導かれるようにハウジングが前記本体の前記通路の前記開口部内に位置決めされた閉鎖状態と、前記キャビティ内に収容された前記状態変更媒体を取り出すため、又は前記状態変更媒体を前記キャビティ内に配置するため、前記ハウジングの前記キャビティへのアクセスを提供する開放状態との間で前記本体に対して移動するように前記本体に取り付けられたハウジング、及び
前記ハウジング全体が前記本体の前記通路の前記開口部内に位置決めされた閉鎖位置と、前記ハウジングの前記キャビティへのアクセスを提供するために前記ハウジングが前記本体の前記開口部から間隔が隔てられた開放位置との間で前記ハウジングを前記本体に対して移動できるように前記ハウジングと前記本体との間に接合された機構を含み、
前記状態変更媒体は、前記ハウジングの前記キャビティ内に位置決めできるフィルタであり、このフィルタは複数の通孔を有し、前記キャビティ内で、前記ハウジングを通して空気を流すことができるように前記フィルタの前記通孔が前記ハウジングの前記ベント開口部と整合した位置にある一つの位置と、空気が前記ハウジングを通って流れないように前記フィルタの前記通孔が前記ハウジングの前記ベント開口部と整合した状態からずらされて位置決めされた別の位置との間で移動できる、組み合わせ。
【請求項１０】
請求項９に記載の組み合わせにおいて、前記フィルタは、室内消臭剤又は薬剤を含む、組み合わせ。
【請求項１１】
請求項９に記載の組み合わせにおいて、前記フィルタは、前記ハウジングに対し、前記一つの位置と前記別の位置との間の多くの位置のうちの二つの位置の間で移動することによって前記ハウジングを通る空気流を制御できるように、これらの位置のうちの任意の位置に位置決めできる、組み合わせ。
【請求項１２】
空気を空気供給システムから建物の室内に連通するためのベント装置において、
前記空気供給システムから空気を受け入れるための通路を持つ本体であって、前記通路を前記空気供給システムと流体連通状態に置く第１開口部を画成し、前記本体の前記通路にアクセスする第２開口部を画成する本体、
フィルタスロットを画成するフィルタハウジングであって、前記空気供給システムによって前記通路から供給された空気を前記フィルタスロットに連通するように前記本体の前記通路と選択的に流体連通状態に置かれる複数の第１ベント開口部が設けられた内壁を持ち、フィルタハウジングは、前記フィルタスロットからの空気を前記室内に連通するように前記フィルタスロットと前記建物の前記室とを連通する複数の第２ベント開口部が設けられた外壁を有する、フィルタハウジング、及び
前記フィルタハウジングの前記フィルタスロットに取り外し自在に受け入れられたフィルタであって、フィルタ材料を収容するキャビティを画成するフィルタ包囲体を画成し、内壁及び外壁を画成し、前記内壁には複数の第３ベント開口部が設けられ、前記外壁には、前記フィルタを通る空気流を提供するため、前記第３ベント開口部と整合する複数の第４ベント開口部が設けられ、前記第２及び第３ベント開口部は、前記フィルタが前記フィルタスロット内に選択的に位置決めされたとき、前記フィルタハウジングの前記第１及び第２ベント開口部と位置合わせするように選択的に整合できるように、及び前記フィルタの前記ベント開口部を前記フィルタハウジングの前記第１及び第２のベント開口部と整合した状態から外れるように選択的に移動できるように前記フィルタハウジングの前記内壁が前記第３ベント開口部を少なくとも部分的に覆うことによって前記本体の前記通路から前記フィルタ包囲体の前記キャビティへの空気の流れを少なくとも制限するように形成されており且つ間隔が隔てられている、ベント装置。
【請求項１３】
請求項１２に記載のベント装置において、前記フィルタスロットは、第１長さを画成し、前記フィルタは、前記第３及び第４ベント開口部が前記第１及び第２ベント開口部と位置合わせした第１位置と、前記フィルタを通る空気の流れを阻止する第２位置との間で前記フィルタスロット内で摺動できるように、前記第１長さよりも大きい第２長さを画成する、ベント装置。
【請求項１４】
請求項１２に記載のベント装置において、前記フィルタハウジングは、前記本体の前記通路を通過する空気を捕捉する位置から、前記フィルタスロット内の前記フィルタを選択的に交換するために前記フィルタハウジングの前記フィルタスロットにアクセスできる外方に枢動させた位置まで枢動できるように前記本体に枢着されている、ベント装置。
【請求項１５】
請求項１２に記載のベント装置において、前記フィルタハウジングは、前記フィルタスロットにアクセスするスロット開口部が画成された前縁部分を画成し、後縁部分を画成し、前記フィルタハウジングは前記後縁部分の近くで前記本体に枢着されており、前記フィルタハウジングの少なくとも内部分が、前記本体の前記通路を通過する空気を捕捉するように前記本体の前記第２開口部に枢動自在に受け入れられている、ベント装置。
【請求項１６】
請求項１２に記載のベント装置において、前記フィルタハウジングは、前記フィルタスロットにアクセスするスロット開口部が画成された前縁部分を画成し、第１及び第２の端部を含み、前記フィルタハウジングは前記第１端部の近くで前記本体に枢着されており、前記フィルタハウジングの少なくとも内部分が前記本体の前記通路を通過する空気を捕捉するように前記本体の前記開口部に枢動自在に受け入れられている、ベント装置。
【発明の詳細な説明】
【技術分野】
【０００１】
本発明は、全体として、環境の空気の状態を制御するための手段及び方法に関し、更に詳細には、空気の状態を制御するのが望ましい環境内に空気を空気取り扱いシステムによって移動するベントに関する。
【背景技術】
【０００２】
空気を空気送出システムのダクト又は導管から建物の室等の環境内に連通する又は導入するための調風装置として周知のベントが当該技術分野で周知のである。このようなベントは、一般的には、ダクト又は導管から空気を受け入れるための通路を持つ本体を有する。本体には空気流を環境内に差し向ける複数のベント開口部が設けられている。このようなベントについて、ベント開口部によって環境内に連通する空気の容積を選択的に制御できるルーバー機構等の閉鎖機構を設けることも一般的に行われている。空気が環境に進入する前に空気を所望の方法で調整するために空気を通すことができるフィルタ等の状態変更媒体（ｃｏｎｄｉｔｉｏｎ−ａｌｔｅｒｉｎｇ  ｍｅｄｉｕｍ）を支持するようになったこのようなベントを設けるのが望ましい。
【発明の開示】
【発明が解決しようとする課題】
【０００３】
従って、空気を通し、空気送出システムによって空気を環境内に排出する新たな改良されたベント装置を設けるのが望ましい。この装置は、空気が環境に進入する際に空気を通すことができる状態変更媒体を支持するようになっている。
【０００４】
本発明の別の目的は、状態変更媒体を装置内に容易に設置でき又は装置から取り出すことができるベント装置を提供することである。
本発明の更に別の実施例は、内部に位置決めされた状態変更媒体を使用し、ベント装置を出る空気の流れを変化させることができるベント装置を提供することである。
【０００５】
本発明の更に別の実施例は、空気が環境に進入するとき、塵埃や花粉等の望ましからぬものを空気から濾過除去するためのフィルタを保持するのに適したベント装置を提供することである。
【０００６】
本発明の更に別の実施例は、構造が簡単で効果的に作動するベント装置を提供することである。
【課題を解決するための手段】
【０００７】
本発明は、空気を空気供給システムから環境内に連通するためのベント装置に関する。
ベント装置は、空気を空気供給システムから環境内に流すことができる通路を持つ本体を有し、この通路には開口部が設けられている。更に、本装置は、状態変更媒体を内部に位置決めできるキャビティを持ち、キャビティを通って流れる空気の状態をキャビティ内に位置決めされた状態変更媒体によって変更できるようにキャビティを通して空気を流すことができるベント開口部を持つハウジングを含む。このハウジングは、空気供給システムから通路を通って流れる空気がハウジング手段のキャビティを通って導かれるようにハウジングが本体の通路の開口部内に位置決めされた閉鎖状態と、キャビティ内に収容された状態変更媒体を取り出すため、又は状態変更媒体をキャビティ内に配置するため、ハウジングのキャビティへのアクセスを提供する開放状態との間で本体に対して移動するように本体に取り付けられている。
【発明を実施するための最良の形態】
【０００８】
【実施例】
【０００９】
次に、添付図面を詳細に参照し、図１乃至図１４を考えると、これらの図には、本発明の特徴を内部に組み込んだ全体に参照番号１０を付したベント装置の実施例が示してある。ベント装置１０は、例えば、建物の室内に導入される空気を調整するための建物の中央熱−空気調整ユニットの空気取り扱いシステム等の空気供給システム又は空気送出システムで使用するように設計されている。更に詳細には、ベント装置１０は、空気ダクトから室内に導入される空気を調整するため、建物の室の床、壁、又は天井に取り付けられるようになっている。室内に導入される空気の調整は、室内に導入される空気が、空気からフィルタによって除去されるのが望ましい塵埃、花粉、及び他の粒子を比較的含まないように、ベント装置１０内に取り付けられたフィルタ（以下に説明する）によって行われる。
【００１０】
ベント装置１０は、本明細書中、濾過された空気を室に入れるように室に導入される空気を濾過するために使用されるものとして説明してあるが、本発明の広い特徴によれば、消臭材（又は他の香気漂い媒体）又は呼吸摂取薬等の他の空気調整媒体を、ベント装置１０と同様の装置に入れることができるということは理解されよう。更に、本明細書中に説明したベント装置１０は、室に入る空気を調整するために使用されるようになっているが、本発明の広い特徴によれば、同様のベント装置を、自動車の車室やトラックの運転席等の他の環境に空気を送出するのに使用される空気送出システムの出口で使用するように設計できる。従って、本発明の原理は、様々な態様で適用できる。
【００１１】
図１乃至図１４を再度参照すると、ベント装置１０は、プラテン状フィルタハウジング１４を内部に収容した本体１２を含む。本体１２及びフィルタハウジング１４の両方を丈夫な強化プラスチックから製造できるが、様々な金属材料を含む様々な他の製造材料を使用できるということは理解されよう。
【００１２】
図１乃至図１４の実施例では、本体１２は、四つの隅部で接合された矩形の壁１６を含み、これらの壁は、空気を本体１２を通して垂直方向に通過させることができる空気流通路１８を画成する。更に、壁１６は、通路１８と作動的に関連したダクト２２（図１２参照）との間を流体連通させる最下開口部２０を画成し、フィルタハウジング１４が通路１８内に少なくとも部分的に配置されるようにフィルタハウジング１４を内部に受け入れる最上開口部２４を画成する。
【００１３】
本体１２は、更に、ベント装置１０を壁、床、又は天井のダクト２２内に作動的に設置するとき、壁、床、又は天井の表面等の支持面（図１２参照）と係合するため、最上開口部２４を実質的に取り囲む外方に差し向けられた取り付けフランジ２６を含む。従って、図１２に示すように、代表的な設備では、本体１２の少なくとも一部が、壁、床、又は天井のダクト２２の開口部３０に受け入れられ、開口部２０がダクト２２の空気通路と連通するように壁１６の少なくとも一部がダクト２２と係合する。更に、取り付けフランジ２６は、位置決め時に本体１２を安定させるように、壁、床、又は天井の支持面２８と係合した状態で位置決めされる。好ましくは、本体１２の壁１６は、ダクト２２に締まり嵌め挿入されるような大きさになっている。この締まり嵌め係合を容易にするため、突出した戻り止め部材３２を壁１６の外側に設けることができ、又は壁１６の外側に沿って形成できる。
【００１４】
ベント装置１０の例示の実施例では、フィルタハウジング１４は通路１８にぴったりと受け入れられ且つ枢着され、通路１８の蓋として役立つ。従って、フィルタハウジング１４は、後縁部分３４の近くで本体１２に枢着される。フィルタハウジング１４のこの枢着は、図示のベント装置１０内で、フィルタハウジング１４から延びる両側に配置された一対の枢動ピン３６によって行われる。これらのピンは、本体１２に設けられた開口部３８に受け入れられる。所望であれば、フィルタハウジング１４の枢動開放方向を逆にできるようにピン３６を受け入れるため、別態様の開口部３８’を設けることができるということは理解されよう（図６乃至図９参照）。
【００１５】
従って、この場合、フィルタハウジング１４は、ハウジング１４の平面が実質的に水平方向に配向された（及びハウジング１４の上面が取り付けフランジ２６と実質的に面一である）図１乃至図７に示す閉鎖状態から、ハウジング１４の平面が実質的に垂直に配置された（及びハウジング１４の上面が実質的に垂直に位置決めされた）図８乃至図１０に示す開放状態まで枢動するように本体１２に枢着されている。本明細書中で明らかになるように、フィルタハウジング１４をその開放状態（図８乃至図１０参照）に位置決めすることにより、フィルタの取り出し及び設置が容易になる。
【００１６】
図示のベント装置１０内では、フィルタハウジング１４の少なくとも内部分４０は、その閉鎖状態に移動するとき、フィルタハウジング１４が不時に開放位置まで枢動することがないように通路１８内にスナップ嵌め関係に移動するように設計されている。このようなスナップ嵌め関係は、突出した戻り止め部材４２（図６及び図７参照）を本体１２に設け、フィルタハウジング１４を通路１８内で閉鎖位置に移動するとき、この戻り止め部材が、本体１２の壁１６に設けられた対応する開口部４４にスナップ嵌めすることによって形成できる。しかしながら、フィルタハウジング１４を通路１８内でその閉鎖位置に取り外し自在に固定するためにこの他の機構を使用できるということは当業者には理解されよう。
【００１７】
図１０に最もよく示してあるように、フィルタハウジング１４は、ハウジング１４の前縁部分４８の外に開放した細長いスロット開口部４７を持つフィルタスロット４６を画成する手段を含み、その結果、ハウジング１４は内壁５０及び外壁５２の夫々を画成する。ハウジング１４の内壁５０には、空気をダクト２２からフィルタスロット４６内に通すことができる複数のベント開口部５４が設けられており、外壁５２には、空気をフィルタスロット４６から建物の室内に連通できる、内壁５０のベント開口部５４と整合した複数のベント開口部５６が設けられている。従って、ベント開口部５４及び５６は、空気をダクト２２（図１２参照）からフィルタハウジング１４を通して建物の室に連通する。
【００１８】
ダクト２２を通して室内に導入される空気を濾過する目的のため、フィルタ５８がフィルタハウジング１４のフィルタスロット４６によって取り外し自在に受け入れられる。図示の実施例１０では、図１０及び図１１に最もよく示すように、フィルタ５８は、濾材即ちフィルタ材料６３を支持するためのキャビティ６２を画成する包囲体６０を提供する手段を含む。図示のフィルタ５８のフィルタ材料６３は、ベント１０を介して建物の室に入らないようにすることが望ましい、望ましからぬ塵埃、花粉、及び他の粒状物を捕捉するようになっている。変形例では（又は追加で）、ベント装置１０を通過する空気に香気を与え又は脱臭するため、空気脱臭剤や清涼剤等の香気のある物質をキャビティ６２内に位置決めできる。更に、ベント１０を通って移動する空気によって吸収され、又はこの空気内に蒸発するようになった薬剤を、建物の室内に分散するようにキャビティ６２内に位置決めできる。
【００１９】
従って、フィルタ５８の包囲体６０は、フィルタ材料６３の両側に配置された内壁６４及び外壁６６の夫々を含む。内壁６４には複数のベント開口部６８が設けられており、外壁６６には、フィルタ５８を通して空気を流すことができるようにベント開口部６８と整合した複数のベント開口部７０が設けられている。図示のフィルタ５８のベント開口部６８及び７０は、フィルタ５８をハウジング１４内に位置決めしたときに開口部６８及び７０がベント開口部５４及び５６と整合できる（即ち位置合わせして位置決めされる）ように形成されており且つ互いから離間されている。
【００２０】
以上に鑑みると、図示のベント装置１０では、フィルタ５８をスロット４６内で長さ方向にずらすことができるように、フィルタスロット４６の長さＬ（図１２参照）はフィルタ５８の長さＬ’（図１２参照）よりも大きい。これによって許容されるずれにより、ベント開口部６８及び７０がベント開口部５４及び５６と整合した位置とベント開口部６８及び７０がベント開口部５４及び５６からずれてフィルタ５８の内壁６４及び外壁６６がベント開口部５４と５６との間の空気流を全体として妨げる位置との間でフィルタ５８を摺動自在に移動させることができる。
【００２１】
例えば、図１２（フィルタハウジング１４が閉鎖位置で示してある）でわかるように、フィルタ５８は、フィルタ５８のベント開口部６８及び７０がフィルタハウジング１４のベント開口部５４及び５６と整合するようにフィルタハウジング１４の長さに沿って位置決めされている。フィルタ５８を図１２に示す位置に位置決めした場合、ダクト２２からの空気をフィルタ５８を通して室内に流入できる。空気流の方向が矢印７３で示してある。
【００２２】
他方、図１３に示すように、フィルタ５８のベント開口部６８及び７０がフィルタハウジング１４のベント開口部５４及び５６と部分的に（完全にではなく）整合するように、フィルタ５８をハウジング１４の長さに沿って位置決めする。従って、フィルタ５８を通って室内に流入する空気が部分的に妨げられる。更に、図１４に示すように、フィルタ５８のベント開口部６８及び７０がフィルタハウジング１４のベント開口部５４及び５６と全く整合しないようにフィルタ５８をハウジング１４の長さに沿って位置決めする。実際、フィルタハウジング１４のベント開口部は包囲壁６４及び６６によって覆われる。従って、フィルタ５８を通って室内に流入する空気は完全に妨げられ、即ち遮断される。かくして、ベント装置１０を通って室内に流入する空気は、フィルタ５８の長さ方向位置をフィルタスロット４６の長さに沿って調整することによって制御できる。
【００２３】
フィルタスロット４６に沿ったフィルタ５８の位置の調整を容易にするため、フィルタ５８にはアクチュエータ７１が設けられている（図１０及び図１１参照）。このアクチュエータは、フィルタハウジング１４を本体開口部２４内に（図１に示すように）着座させたときにアクセスできる。従って、フィルタスロット４６の長さに沿った多数の可能な位置のうちの一つの位置まで摺動させることによって、フィルタハウジング１４を本体１２に対して枢動させてその通常の作動位置から外すことなく、ベント装置１０を通る空気流を制御できる。更に、図示のフィルタの実施例５８では、フィルタ包囲体６０には、アクチュエータ７１が設けられた側とは反対側にアクセス開口部７２が設けられているということに着目されたい。このアクセス開口部により、包囲体のキャビティ６２の内部にアクセスできる。この開口部７２により、フィルタ材料６３を必要に応じて定期的に交換でき、そのためフィルタ包囲体６０を再使用できる。このフィルタ交換の特徴にも拘わらず、フィルタ５８全体を使い捨てにでき、かくしてアクセス開口部７２に対する必要をなくすことができると考えられる。
【００２４】
図１５乃至図１９を参照すると、これらの図には、本発明の特徴を具体化した、全体に参照番号１０Ａを付した変形例が示してある。図１乃至図１０図及び図１２乃至図１４のベント装置１０と同様のベント装置１０Ａの構成要素にはアルファベット文字「Ａ」を後に付けた同じ参照番号が付してある。図１６に最もよく示してあるように、ベント装置１０Ａのフィルタハウジング１４Ａは、第２端部７６を本体１０Ａに対して外方に枢動させることによってフィルタ５８Ａへのアクセスが提供されるように、第１端部７４の近く（後縁部分３４の近くではない）で本体１２Ａに枢着してある。更に、所望の場合にフィルタハウジング１４Ａの枢動方向を逆にできるようにピン３６Ａを枢動自在に受け入れるため、別の開口部３８Ａ’を設けることができる。更に、フィルタハウジング１４Ａに第１端部７４からアクセスする代わりに、フィルタ５８Ａを受け入れるフィルタスロットを、図１９に破線４７Ａ’で示すように、フィルタハウジング１４の第２端部７６に設けることができる。
【００２５】
図２０乃至図２５を参照すると、本発明の特徴を具体化した、全体に参照番号１０Ｂを付したベント装置の更に別の実施例が示してある。図１乃至図１０図及び図１１乃至図１４のベント装置１０と同様のベント装置１０Ｂの構成要素にはアルファベット文字「Ｂ」を後に付けた同じ参照番号が付してある。この実施例１０Ｂでは、フィルタハウジング１４Ｂは、本体１２Ｂの通路１８Ｂ内で下位置（即ち閉鎖位置）とフィルタハウジング１４Ｂ内に位置決めされたフィルタ５８Ｂへのアクセスを提供する上位置（図２１に示す位置）との間で入れ子式に出し入れできるように本体１２Ｂに連結されている。これに関し、フィルタハウジング１４Ｂには、フィルタハウジング１４Ｂの内壁５０Ｂから外方に延びる四つの取り付けシャフト７８がフィルタハウジング１４Ｂの四つの隅部のところに設けられている。更に、本体１２Ｂには、作動的に関連した四つの取り付けブラケット８０が設けられており、これらのブラケットの各々には、取り付けシャフト７８のうちの対応する一つのシャフトを摺動自在に受け入れるための通孔８２が設けられている。更に、図示の実施例１０Ｂでは、取り付けシャフト７８の各々の先端には、取り付けシャフト７８の先端が取り付けブラケット８０の穴８２を通って移動しないようにするストップ部材８４が設けられている。従って、フィルタハウジング１４Ｂを、本体１２Ｂに対し、フィルタハウジング１４Ｂが通路１８Ｂ内に位置決めされた作動位置（図２０、図２２、及び図２４参照）と、フィルタ５８Ｂの取り外し及び／又は交換を行うためにハウジング１４Ｂ内にアクセスできる非着座位置（図２１、図２３、及び図２５参照）との間で移動できる。
【００２６】
図２６乃至図３０を参照すると、これらの図には、本発明の特徴を組み込んだ、全体に参照番号１０Ｃを付したベント装置の別の実施例が示してある。上文中に説明したベント装置１０と同様のベント装置１０Ｃの構成要素にはアルファベット文字「Ｃ」を後に付けた同じ参照番号が付してある。ベント装置１０Ｃは、建物の天井と壁との間の角の近くに、又は床と壁との間の角の近くに取り付けられるように設計されている。図示のように、ベント装置１０Ｃの本体１２Ｃは、ベント装置１０Ｃの設置時に壁面８８（図２８参照）と隣接して位置決めされる後壁８６を画成するように形成されている。更に、本体１２Ｃは、床及び天井の支持面２８Ｃと係合するための支持壁９０を画成する。空気を建物に有利に導入するため、開口部２４Ｃは、後壁８６及び周囲壁９０に対して斜めの平面内に画成され、フィルタハウジング１８Ｃが、同様に、後壁８６及び周囲壁９０に対して斜めの平面内に差し向けられるように開口部２４Ｃ内に取り付けられる。本体１２Ｃは、第１部分９２、第２部分９４、第３部分９６、及び第４部分９８の夫々を含むということに着目されたい。これらの部分は、斜めに配置された開口部２４Ｃを画成する。フィルタハウジング１４Ｃは、縁部９２、９４、９６、又は９８のうちの任意の縁部と平行に且つこれと隣接して配向された枢軸を中心として移動するように本体１２Ｃに枢着できる。例えば、図２６乃至図２８では、本体１２Ｃの第１縁部９２と平行であり且つこれと隣接した軸線を中心としてフィルタハウジング１４Ｃが枢動するように、本体１２Ｃの両側壁１００及び１０２に設けられた開口部３８Ｃによって枢動ピン３６Ｃが受け入れられる。図２９では、枢動ピン３６Ｃは、本体１２Ｃの第２縁部９４と平行であり且つこれと隣接した軸線を中心としてフィルタハウジング１４Ｃが枢動するように別の穴３８Ｃ’に取り付けられている。別の態様では、図３０に示すように、縁部９６又は９８のうちの一方と平行に配向されており且つこれと隣接した軸線を中心としてフィルタハウジング１４Ｃを枢動できるように、開口部３８Ｃを両内壁１０４及び１０６に設けることができる。
【００２７】
図３１及び３２を参照すると、これらの図には、本発明の特徴を組み込んだ、全体に参照番号１０Ｄを付した更に別の実施例が示してある。上文中に説明したベント装置１０と同様のベント装置１０Ｄの構成要素にはアルファベット文字「Ｄ」を後に付けた同じ参照番号が付してある。ベント装置１０Ｄは、天井又は壁に取り付けられるようになっており、本体１２Ｄは、天井又は壁の支持面２８Ｄと係合する後壁１０８を画成する。これに関し、ねじ１１０等の適当な機械式ファスナで後壁１０８を支持面に固定できる。
【００２８】
ベント装置１０Ｄのフィルタハウジング１４Ｄは、上文中に説明した実施例１０、１０Ａ、１０Ｂ、及び１０Ｃの場合のように通路１８Ｄに固定されるのではなく、通路１８Ｄとフィルタハウジング１４Ｄとの間に流体連通を確立するように、開口部２４Ｄ上に固定される。更に詳細には、図示の実施例１２Ｄの本体１２Ｄは、開口部２４Ｄの周囲の近くに配置された角度をなしたリップ１１２を画成し、フィルタハウジング１４Ｄは、本体１２Ｄの角度をなしたリップ１１２と係合してこれと相互係止し、フィルタハウジング１４Ｄを本体１２Ｄに固定する相互係止リップ部分１１４を画成する。更に、フィルタハウジング１４Ｄの外壁５２Ｄは、フィルタ５８Ｄがフィルタハウジング１４Ｄに着座したとき、フィルタ５８Ｄの外壁６６Ｄから間隔が隔てられている。フィルタ５８Ｄをその所望の位置に支持するため、フィルタハウジング１４Ｄには少なくとも一つの、及び好ましくは複数の支持リブ１１６が設けられている。これらのリブは、フィルタハウジング１４Ｄの内部に亘って延びる（図３２参照）。支持リブ１１６は、好ましくは、ハウジング１４Ｄを通って移動する空気の流れの邪魔にならないように、隣接した開口部５６Ｄ間に配置される。上文中に説明したベント装置と同様に、ベント装置１０Ｄのフィルタ５８Ｄはフィルタスロット４６Ｄによって取り外し自在に受け入れられており、フィルタハウジング１４Ｄを通って連通する空気の容積を調整するため、スロット４６Ｄの長さに沿って異なる位置の間で摺動できる。
【００２９】
取り外し自在のフィルタとともに使用するためのベント装置を説明した。このベント装置は、フィルタとともに使用した場合、従来技術を越える大きな利点を提供する。ベント装置により、室内に流入する空気を容易に制御でき、塵埃、花粉、及び／又は他の粒子を除去するために調整（例えば濾過）されるべき室内等の環境に空気を入れることができる。更に、所望であれば、室内を消臭するため、ベント装置内に位置決めされたフィルタに香料を組み込むことができ、及び／又は薬剤をベント装置によって室内に分配するためにフィルタ内に位置決めできる。
【００３０】
しかしながら、好ましい実施例を示し且つ説明したが、本発明の精神から逸脱することなく、上文中に説明した実施例で多くの変更及び入替えを行うことができるということは理解されよう。例えば、フィルタハウジングを装置の本体に枢着するための枢動ピンを含むものとして上述の実施例のうちの幾つかを示し且つ説明したが、ハウジング及び本体は、フィルタハウジングを本体に接合するストラップ（当該技術分野において一般的に一体ヒンジと呼ばれる）によって互いに連結できる。例えば、図３３には、ハウジング１４Ｅを本体１２Ｅに対して閉鎖状態と開放状態との間で（矢印１３２及び１３４によって示される方向のうちのいずれかの方向に）枢動できるようにハウジング１４Ｅを本体１２Ｅに接合するストラップ１３０によって互いに枢着された本体１２Ｅ及びフィルタハウジング１４Ｅを持つフィルタの実施例１０Ｅの断面が示してある。フィルタハウジング及び本体が例えば適当なプラスチックから単一の型成形ユニットとして形成されている場合には、ストラップ１３０をハウジング及び本体と一体成形できる。従って、上述の実施例は、例示の目的であって、限定を目的としていない。
【図面の簡単な説明】
【００３１】
【図１】本発明の特徴を内部に組み込んだベント装置の斜視図である。
【図２】図１のベント装置の平面図である。
【図３】図１のベント装置の底面図である。
【図４】図１のベント装置の前方からの側面図である。
【図５】図１のベント装置の後方からの側面図である。
【図６】図１のベント装置の左側からの側面図である。
【図７】図１のベント装置の右側からの側面図である。
【図８】フィルタハウジングが外方に枢動させてある、図１のベント装置の左側からの側面図である。
【図９】フィルタハウジングが外方に枢動させてある、図１のベント装置の右側からの側面図である。
【図１０】フィルタハウジングが外方に枢動させてあり、フィルタをフィルタハウジングから取り出した図１のベント装置の斜視図である。
【図１１】図１０に示すフィルタの斜視図である。
【図１２】フィルタがフィルタハウジングの長さに沿った一つの位置に位置決めされた、室の床内に位置決めされたベント装置を示す図１の１２−１２線に沿った断面図である。
【図１３】フィルタがフィルタハウジングの長さに沿った別の位置に位置決めされた、図１２と同様の図である。
【図１４】フィルタがフィルタハウジングの長さに沿った更に別の位置に位置決めされた、図１２及び図１３と同様の図である。
【図１５】本発明の特徴を内部に組み込んだベント装置の第１の変形例の斜視図である。
【図１６】フィルタハウジングが、フィルタハウジングにアクセスできる開放位置即ち外位置に位置決めされた状態で示してある、図１５のベント装置を前方から見た側面図である。
【図１７】図１５の１７−１７線に沿った図１５のベント装置の断面図である。
【図１８】図１５のベント装置の右側からの側面図である。
【図１９】図１５のベント装置の平面図である。
【図２０】本発明の特徴を具体化したベント装置の第２の変形例の斜視図である。
【図２１】フィルタハウジングが、フィルタハウジングにアクセスできる開放位置に位置決めされた状態で示してある、図２０と同様の図である。
【図２２】図２０の２２−２２線に沿った図２０のベント装置の断面図である。
【図２３】図２１の２３−２３線に沿った図２０のベント装置の断面図である。
【図２４】図２０の２４−２４線に沿った図２０のベント装置の断面図である。
【図２５】図２１の２５−２５線に沿った図２０のベント装置の断面図である。
【図２６】本発明の特徴を具体化したベント装置の第３の変形例の斜視図である。
【図２７】フィルタハウジングが開放位置に位置決めされており、フィルタの一部がフィルタハウジングの外に位置決めされている図２６のベント装置の左側からの側面図である。
【図２８】図２６の２８−２８線に沿った図２６のベント装置の断面図である。
【図２９】ベント装置の更に別の実施例を示す、図２８と同様の図である。
【図３０】ベント装置の更に他の実施例を示す、図２８と同様の図である。
【図３１】本発明の特徴を具体化したベント装置の第６の変形例の分解斜視図である。
【図３２】図３１の３２−３２線に沿った図３１の実施例の断面図である。
【図３３】本発明の特徴を具体化したベント装置の一つの更に別の実施例の横断面図である。
【符号の説明】
【００３２】
１０  ベント装置
１２  本体
１４  プラテン状フィルタハウジング
１６  壁
１８  空気流通路
２０  最下開口部
２２  ダクト
２４  最上開口部
２６  取り付けフランジ
２８  支持面
３０  開口部
３２  戻り止め部材
３４  後縁部分
３６  枢動ピン
３８  開口部
４０  内部分
４２  戻り止め部材
４６  フィルタスロット
４７  スロット開口部
４８  前縁部分
５０  内壁
５２  外壁
５４  ベント開口部
５６  ベント開口部
５８  フィルタ
６０  包囲体
６２  キャビティ
６３  フィルタ材料
６４  内壁
６６  外壁
６８  ベント開口部
７０  ベント開口部
【国際公開パンフレット】
2004526121.tif 000003
2004526121.tif 000004
2004526121.tif 000005
2004526121.tif 000006
2004526121.tif 000007
2004526121.tif 000008
2004526121.tif 000009
2004526121.tif 000010
2004526121.tif 000011
2004526121.tif 000012
2004526121.tif 000013
2004526121.tif 000014
2004526121.tif 000015
2004526121.tif 000016
2004526121.tif 000017
2004526121.tif 000018
2004526121.tif 000019
2004526121.tif 000020
2004526121.tif 000021
2004526121.tif 000022
2004526121.tif 000023
2004526121.tif 000024
2004526121.tif 000025
2004526121.tif 000026
2004526121.tif 000027
2004526121.tif 000028
2004526121.tif 000029
2004526121.tif 000030
2004526121.tif 000031
2004526121.tif 000032
2004526121.tif 000033
2004526121.tif 000034
2004526121.tif 000035
2004526121.tif 000036
2004526121.tif 000037
2004526121.tif 000038
【国際公開パンフレット（コレクトバージョン）】
2004526121.tif 000039
2004526121.tif 000040
【国際調査報告】
2004526121.tif 000041